(57)【要約】【課題】ケースに固定されたメッキ部品からの静電気を確実に基板の接地部に流すことのできる操作パネル体を提供する。【解決手段】メッキ部品１２は、ケース１から露出する露出部３０と、露出部３０から基板４側に向かって伸びる奥側部３１とを有し、基板４はメッキ部品１２と対向する面に接地接続部４１を有し、メッキ部品１２の奥側部３１は、基板４の接地接続部４１に向かって伸びる延出片３３を備え、延出片３３には長手方向のケース１から突出した所定位置に段部３３ａが形成され、段部３３ａと接地接続部４１との間で導電性を有するバネ体３４が保持される。【選択図】図３
2011090789.tif 000002
【特許請求の範囲】
【請求項１】
奥側に基板が配置されるケースと、前記基板より手前側に配置され少なくとも一部が前記ケースから露出するメッキ部品及び操作体とを有し、前記メッキ部品は前記ケースに対して固定される操作パネル体において、
前記メッキ部品は、前記ケースから露出する露出部と、該露出部から前記基板側に向かって伸びる奥側部とを有し、前記基板は前記メッキ部品と対向する面に接地接続部を有し、
前記メッキ部品の奥側部は、前記基板の接地接続部に向かって伸びる延出片を備え、該延出片には長手方向の前記ケースから突出した所定位置に段部が形成され、該段部と前記接地接続部との間で導電性を有するバネ体が保持されることを特徴とする操作パネル体。
【請求項２】
前記操作体は円柱状の周面を備え、該操作体の周面を取り囲むように略円筒状の導光体が設けられ、該導光体を取り囲むように前記メッキ部品が略円筒状に形成されてなることを特徴とする請求項１記載の操作パネル体。
【請求項３】
前記ケースは前記メッキ部品の外周面に略適合する内周面を有する操作体収容部を備え、該操作体収容部の内周面には前記メッキ部品の外周面に形成される鍔部を挟持する固定部が形成されることを特徴とする請求項２記載の操作パネル体。
【請求項４】
前記メッキ部品は略板状に形成され、最奥部に前記ケースに対する係合部を有すると共に、前記延出片が形成されてなることを特徴とする請求項１記載の操作パネル体。
【請求項５】
前記延出片は前記接地接続部の近傍まで伸びて、前記バネ体を略全長に渡って保持することを特徴とする請求項１〜４のいずれか１項に記載の操作パネル体。
【請求項６】
前記ケースは前記延出片を保持する延出片保持部を備え、前記延出片の段部は前記延出片保持部の最奥部より奥側部に形成されることを特徴とする請求項１〜５のいずれか１項に記載の操作パネル体。
【発明の詳細な説明】
【技術分野】
【０００１】
本発明は、自動車等に設置される操作部を備えた操作パネル体に関し、特にケース体から一部が露出するメッキ部品を備えた操作パネル体に関する。
【背景技術】
【０００２】
従来、自動車等に設置される操作パネル体は、樹脂材からなるケースを有し、このケース内に電子部品等が配置された基板が操作者側を手前とした奥側に収納され、またケースからはつまみ状や押しボタン状からなる操作部が手前側に露出している。この操作パネル体は、運転者等の目に直接触れるものであるため、高い意匠性が求められる。そのため、主に樹脂材によって構成される操作パネル体の部品の一部をメッキ部品とすることが行われている。
【０００３】
操作パネル体においてメッキ部品は、操作部の周囲などに設けられることが多い。メッキ部品は、少なくとも一部が外部に露出し、それよりケース奥側においてケースに対し係合等によって固定される。メッキ部品は表面が導電性を有するため、操作者が触れたときに静電気をケース内に導くことになる。この静電気がケース内の基板に配置された電子部品に放電されると、電子部品を破損することともなる。
【０００４】
メッキされた押しボタンスイッチについて、基板の電子部品に静電気が放電されないように、押しボタンスイッチと基板の接地部との間にバネ体を設けることが、例えば特許文献１に示されている。
【先行技術文献】
【特許文献】
【０００５】
【特許文献１】特開２００４−１４６２０３号公報
【発明の概要】
【発明が解決しようとする課題】
【０００６】
操作パネル体を装飾するために設けられるメッキ部品は、特許文献１に挙げるような押しボタンスイッチとは異なり、それ自身は操作されることがなく、ケースに固定されるものである。また、メッキ部品が操作部の周囲などに設けられる場合、操作部やその周囲に設けられる導光体などの配置関係により、メッキ部品の配置に制約が生じ、基板とメッキ部品との距離を十分に取ることができないこともある。
【０００７】
具体的には、つまみ状の操作部を有する操作パネル体において、意匠性をより向上させるために、操作部の周囲を発光させるように構成した場合である。このとき、円柱状に形成された操作部の周囲部には、周方向に沿って均等に発光させるための導光体が設けられ、その外周側にメッキ部品が配置される。
【０００８】
メッキ部品は、略円筒形状に形成され、操作者側である手前側に位置する端部に鍔状部が形成されて、操作部の周囲に配置される。略円筒形状からなるメッキ部品の内周面は、光源からの光あるいは導光体からの光の反射に寄与する。メッキ部品の外周面には、突起が形成され、この突起を上ケースと下ケース挟まれることで固定がなされる。また、ケースに対し回転方向に位置決めし、使用時における回り止めをなすために、ケースの奥側に入り込んだ突出形状を有しており、最奥部は基板と近い位置で対向することとなる。なお、この際、作業性を向上させる為に、ケースの奥側に入り込む突出形状は、長く形成しており、組み込みの早い段階で位置決めし後は押し込むだけとできるようにしている。なお、この組立性の向上を図る為に、上述したようにメッキ部品の固定箇所で回り止めは行っておらず、固定機能と回転方向の位置決めとは別々の部位で行っている。
【０００９】
導光体が設けられていなければ、メッキ部品と操作部にはスペースがある為、ケースをメッキ部品の最奥部から内周側に回り込ませる、すなわちケースの底面に有底でかつ周りを囲まれた凹部を形成し、この凹部にメッキ部品の突出形状を係合すれば、メッキ部品と基板との沿面距離を十分に大きくすることができるので、静電気が基板の電子部品に放電することを防止できる。しかし、メッキ部品の内周側に導光体が設けられていると、ケースをこのように形成することができないので、メッキ部品は直接基板と対向し、電子部品に静電気を放電する可能性がある。
【００１０】
また、例えば板形状のメッキ部品が操作部に囲まれるように配置された場合、メッキ部品のケースに対する位置決めは、上述の場合と同様、組立性の問題からケースの奥側で行うしかないため、この場合にもメッキ部品と基板が近接し、電子部品に静電気を放電する可能性がある。
【００１１】
これらの場合において、特許文献１のように単にメッキ部品と基板との間にバネ体を設けただけでは、バネ体が確実には保持されず、メッキ部品と基板の接地部との間の確実な接続を確保しづらいと共に、組立性も悪いという問題がある。
【００１２】
本発明は前記課題を鑑みてなされたものであり、ケースに固定されたメッキ部品からの静電気を確実に基板の接地部に流すことのできる操作パネル体を提供することを目的とする。
【課題を解決するための手段】
【００１３】
前記課題を解決するため、本発明に係る操作パネル体は、奥側に基板が配置されるケースと、前記基板より手前側に配置され少なくとも一部が前記ケースから露出するメッキ部品及び操作体とを有し、前記メッキ部品は前記ケースに対して固定される操作パネル体において、
前記メッキ部品は、前記ケースから露出する露出部と、該露出部から前記基板側に向かって伸びる奥側部とを有し、前記基板は前記メッキ部品と対向する面に接地接続部を有し、
前記メッキ部品の奥側部は、前記基板の接地接続部に向かって伸びる延出片を備え、該延出片には長手方向の前記ケースから突出した所定位置に段部が形成され、該段部と前記接地接続部との間で導電性を有するバネ体が保持されることを特徴として構成されている。
【００１４】
また、本発明に係る操作パネル体は、前記操作体は円柱状の周面を備え、該操作体の周面を取り囲むように略円筒状の導光体が設けられ、該導光体を取り囲むように前記メッキ部品が略円筒状に形成されてなることを特徴として構成されている。
【００１５】
さらに、本発明に係る操作パネル体は、前記ケースは前記メッキ部品の外周面に略適合する内周面を有する操作体収容部を備え、該操作体収容部の内周面には前記メッキ部品の外周面に形成される鍔部を挟持する固定部が形成されることを特徴として構成されている。
【００１６】
さらにまた、本発明に係る操作パネル体は、前記メッキ部品は略板状に形成され、最奥部に前記ケースに対する係合部を有すると共に、前記延出片が形成されてなることを特徴として構成されている。
【００１７】
そして、本発明に係る操作パネル体は、前記延出片は前記接地接続部の近傍まで伸びて、前記バネ体を略全長に渡って保持することを特徴として構成されている。
【００１８】
また、本発明に係る操作パネル体は、前記ケースは前記延出片を保持する延出片保持部を備え、前記延出片の段部は前記延出片保持部の最奥部より奥側部に形成されることを特徴として構成されている。
【発明の効果】
【００１９】
本発明に係る操作パネル体によれば、メッキ部品の奥側部は、基板の接地接続部に向かって伸びる延出片を備え、延出片には長手方向のケースから突出した所定位置に段部が形成され、段部と接地接続部との間で導電性を有するバネ体が保持されることにより、メッキ部品からバネ体を介し接地接続部に対して静電気を流し、基板のその他の電子部品等に放電がされることを防止できる。また、段部を接地接続部の間でバネ体を保持できるので、バネ体を確実に両者に導通させることができ、またバネ体のメッキ部品に対する取付も容易にすることができる。
【００２０】
また、本発明に係る操作パネル体によれば、操作体は円柱状の周面を備え、操作体の周面を取り囲むように略円筒状の導光体が設けられ、導光体を取り囲むようにメッキ部品が略円筒状に形成されてなることにより、円筒状の導光体がメッキ部品の内周側に設けられて、メッキ部品が基板と近接した配置となる場合において、バネ体を介して確実な放電をなすことができる。
【００２１】
さらに、本発明に係る操作パネル体によれば、ケースはメッキ部品の外周面に略適合する内周面を有する操作体収容部を備え、操作体収容部の内周面にはメッキ部品の外周面に形成される鍔部を挟持する固定部が形成されることにより、メッキ部品を簡易な構成でケースに固定することができる。
【００２２】
さらにまた、本発明に係る操作パネル体によれば、メッキ部品は略板状に形成され、最奥部にケースに対する係合部を有すると共に、延出片が形成されてなることにより、メッキ部品を板状として係合部において基板と近接した配置となる場合において、バネ体を介して確実な放電をなすことができる。
【００２３】
そして、本発明に係る操作パネル体によれば、延出片は接地接続部の近傍まで伸びて、バネ体を略全長に渡って保持することにより、延出片によりバネ体を確実に保持し、バネ体を確実に接地接続部に接触させることができる。
【００２４】
また、本発明に係る操作パネル体によれば、ケースは延出片を保持する延出片保持部を備え、延出片の段部は延出片保持部の最奥部より奥側部に形成されることにより、バネ体は段部と接地接続部にのみ押圧されて他の部品に接触しないようにすることができるので、より確実な放電をなすことができる。
【図面の簡単な説明】
【００２５】
【図１】本実施形態における操作パネル体の正面図である。
【図２】操作パネル体の分解斜視図である。
【図３】図１のＡ−Ａ断面図である。
【図４】板状メッキ部品の基板との関係を表した模式図である。
【発明を実施するための形態】
【００２６】
本発明の実施形態について、図面に沿って詳細に説明する。図１には、本実施形態における操作パネル体の正面図を示している。本実施形態の操作パネル体は、自動車の操作パネルの一部を構成するものであって、エアコンあるいはオーディオ等の操作に用いられるものである。図１は、操作パネル体を車内側から見た図であり、この図に示すように操作パネル体を車内側から見ると、車内表面を構成するケース１に、回転型電気部品を操作するための１つの回転操作部２と、プッシュスイッチを操作するための上下２つの押圧操作部３とが保持されて構成されている。
【００２７】
回転操作部２の周囲には、これを取り囲むようにリング状メッキ部品１２が配置され、上下２つの押圧操作部３間には、これらを仕切るように板状メッキ部品１３が配置されている。これらメッキ部品は、合成樹脂からなり、その全表面に金属メッキを施して形成されており、図１において網掛け状に示している。
【００２８】
図２には、操作パネル体の分解斜視図を示している。この図に示すように、操作パネル体は、複数の部品が組み合わされて構成されている。ケース１は、車内側に露出する表面構成部１１と、その奥側に設けられる本体部１０とからなっており、両者はスナップ結合によって一体化されている。ケース１の奥側には、スイッチ基部２０等の部品を配置した基板４が設けられる。
【００２９】
ケース１を構成する表面構成部１１は、回転操作部２の一部を露出させる第１開口部１１ａと、押圧操作部３を露出させる第２開口部１１ｂとを有している。第１開口部１１ａから露出する回転操作部２は、基板４に設けられたロータリースイッチに設けられている操作つまみであるスイッチ基部２０と、スイッチ基部２０に覆い被さるよう一体的に取付けられる略円筒状のガイド部材２１と、ガイド部材２１に対して中心軸線方向にプッシュ自在にガイドされると共に一体的に回転可能なスライド部材２２と、スライド部材２２の車内側面を覆って該スライド部材に一体的に取り付けられ第１開口部１１ａから車内側に露出するキャップ部材２３とからなっている。
【００３０】
ケース１を構成する本体部１０は、回転操作部２を挿通させて納める円形孔状の操作体収容部１０ａを有している。この操作体収容部１０ａには、回転操作部２の外周側を取り囲むように、略円筒状の導光体１４が挿通され、さらに導光体１４を取り囲むように、略円筒状のリング状メッキ部品１２が挿通される。リング状メッキ部品１２は、前述のようにケース１から露出する露出部３０を有しており、その奥側は基板４側に伸びる奥側部３１として、本体部１０の操作体収容部１０ａの内周面に略適合して、基板４の面方向である水平方向の位置決めをなすことができる。
【００３１】
図３には、図１のＡ−Ａ断面図を示している。この図は、左右部については回転操作部２の中心を通る断面について表し、中央部については回転操作部２の周縁部を通る断面について表している。この図に示すように、導光体１４は、回転操作部２の外周面に略沿うように配置されており、さらにそれを取り囲むようにリング状メッキ部品１２が配置されている。回転操作部２の露出側部分は、奥側部分よりもやや径が大きくなるように形成されており、導光体１４は回転操作部２の露出側部分に隠れて直接外部に露出しないのに対し、リング状メッキ部品１２は回転操作部２とケース１との間の隙間から、露出部３０が外部に露出する。
【００３２】
リング状メッキ部品１２は、外周面から突出する鍔部３２を周方向に沿って有しており、ケース１を構成する表面構成部１１と本体部１０との間に挟持されることで、ケース１に固定されている。リング状メッキ部品１２の奥側部３１は、基板４側に向かって伸びており、その先端部は基板４と比較的近い位置で対向する。
【００３３】
図２に示されているように、基板４には、スイッチ基部２０の他、回転操作部２の周囲を光らせるためのＬＥＤなどの電子部品４０が配置されている。ＬＥＤは、少なくとも導光体１４を照射できるように配置されており、ＬＥＤを発光させることにより、導光体１４は全周に渡って発光し、同時に導光体１４を透過した光あるいは直接の光をリング状メッキ部品１２の内周面に反射させながら、効率よく回転操作部２とリング状メッキ部品１２の間の隙間から光が漏れるように照らすことができる。また、基板４にはその他にも電子部品が配置されるが、ＬＥＤ以外については図示していない。
【００３４】
図３の中央部において示すように、リング状メッキ部品１２の奥側部３１は、周方向の所定位置に奥側、すなわち基板４側に向かって伸びる延出片３３を有している。延出片３３は、細長状となるように形成されており、その先端は基板４の表面に極めて近接するようにされている。延出片３３の先端部と近接する基板４の表面には、第１接地接続部４１が形成されており、この第１接地接続部４１は電気的に接地されている。
【００３５】
ケース１を構成する本体部１０には、リング状メッキ部品１２の延出片３３のうち根元側部分を保持する延出片保持部１０ｂが形成されており、細長状の延出片３３がぐらついて回転しないように強固に保持している。したがって、実際に車に搭載された場合に、大きな振動が加わっても回転しない。また、操作パネル体の組立工程において、リング状メッキ部品１２を組み込む際においては、延出片保持部１０ｂに延出片３３の先端を一致させ、その状態で奥側部３１の周面が操作体収容部１０ａの内周面内に収まるようにして押し込めば良いので、容易に組み立て可能である。
【００３６】
リング状メッキ部品１２の延出片３３には、ケース１の延出片保持部１０ｂの最奥部よりもさらに奥側、すなわち延出片保持部１０ｂに保持されていない位置に、根元側よりも先端側の径が細くなるように段部３３ａが突出状に形成されている。そして、段部３３ａと基板４の第１接地接続部４１との間には、導電性を有するバネ体３４が保持される。
【００３７】
バネ体３４は、金属製のコイルバネであり、段部３３ａと第１接地接続部４１との間に保持された状態で、若干圧縮されることで、段部３３ａと第１接地接続部４１の双方に圧接した状態となる。これにより、リング状メッキ部品１２と基板４の第１接地接続部４１とを、バネ体３４により電気的に接続した状態とすることができる。また、リング状メッキ部品１２の段部３３ａは、延出片保持部１０ｂに保持されていない突出した先端側に形成されているので、バネ体３４はリング状メッキ部品１２と第１接地接続部４１のみに接触し、それ以外の本体部１０等には接触しない。したがって、静電気がリング状メッキ部品１２に流れた場合、バネ体３４を介し確実に第１接地接続部４１に放電がなされ、ＬＥＤ等のその他の部品に放電されることを防止することができる。
【００３８】
また、リング状メッキ部品１２の延出片３３は、基板４の第１接地接続部４１に極めて近接する位置まで伸びているので、バネ体３４を略全長に渡り保持している。これによって、バネ体３４を確実に第１接地接続部４１に接触させることができ、また組立時においてバネ体３４を容易にリング状メッキ部品１２に取付けることができる。
【００３９】
図２に示すように板状メッキ部品１３は、押圧操作部３間に設けられるため、ケース１に対する固定は、奥側部分で係合させるしかなく、したがって板状メッキ部品１３の最奥部は基板４に比較的近接することとなる。この場合にも、バネ体３９を介した導通を確保する。
【００４０】
図４には、板状メッキ部品１３の基板４との関係を表した模式図を示している。この図においては、ケース１等は省略している。図４に示すように、板状メッキ部品１３は、２つの押圧操作部３の間から車内側に露出する露出部３５と、露出部３５から基板４側に向かって伸びる奥側部３６とを有してなり、奥側部３６の最奥部からはケース１に係合するための係合フック３７と、基板４に形成される第２接地接続部４２に向かって伸びる延出片３８とが形成されている。
【００４１】
延出片３８は、基板４寄りの位置に、根元側よりも先端側の径が細くなるように段部３８ａが形成されている。この段部３８ａと第２接地接続部４２との間には、導電性を有するバネ体３９が保持される。このバネ体３９は、リング状メッキ部品１２に保持されるバネ体３４と同様の構成からなり、段部３８ａと第２接地接続部４２との間に保持された状態で、若干圧縮されることで、段部３８ａと第２接地接続部４２の双方に圧接し、これによって板状メッキ部品１３と基板４の第２接地接続部４２とを、バネ体３９により電気的に接続した状態としている。したがって、静電気が板状メッキ部品１３に流れた場合、バネ体３９を介し確実に第２接地接続部４２に放電がなされ、その他の部品に放電されることを防止することができる。
【００４２】
このように、本実施形態においては、リング状メッキ部品１２と板状メッキ部品１３の双方において、最奥部が基板４と比較的近接するため、いずれにおいても基板４の接地接続部に向かって伸びる延出片を設け、延出片には先端側が細くなるような段部を形成し、段部と接地接続部でバネ体を挟み込むように保持したことにより、各メッキ部品からの静電気がバネ体を介して確実に接地接続部に流れ、その他の部品に放電されないようにすることができ、またバネ体を確実に保持して接地接続部と接触させることができる。
【００４３】
操作部２の露出側部分を操作者が回転させると、スライド部材２２が回転し、ガイド部材２１及びスイッチ基部２０を回転させて回転型スイッチを駆動する。操作部２の露出側部分を操作者がプッシュ操作すると、スライド部材２２がガイド部材２１にガイドされつつ押し込まれ、図示を省略したタクティールスイッチを駆動する。また、押圧操作部３を操作者がプッシュ操作すると、図示を省略したタクティールスイッチを駆動する。
【００４４】
以上、本発明の実施形態について説明したが、本発明の適用は本実施形態には限られず、その技術的思想の範囲内において様々に適用されうるものである。本実施形態では、１つの回転操作部２と２つの押圧操作部３を備えた操作パネル体について説明したが、これらの数や配置、またケース１の形状などは本実施形態のものには限られず、様々に構成されうる。また、リング状メッキ部品１２、板状メッキ部品１３のメッキ部品は、合成樹脂の部品の全表面に金属メッキを施して形成しているが、少なくとも、露出部と段部３３ａ及び両者を繋ぐ部分にメッキが施されていればよいし、部材全体を金属板などで形成してもよい。
【符号の説明】
【００４５】
１    ケース
２    回転操作部
３    押圧操作部
４    基板
１０    本体部
１１    表面構成部
１２    リング状メッキ部品
１３    板状メッキ部品
１４    導光体
３０    露出部
３１    奥側部
３２    鍔部
３３    延出片
３３ａ  段部
３４    バネ体
４０    電子部品
４１    第１接地接続部
４２    第２接地接続部
【図１】
2011090789.tif 000003
【図２】
2011090789.tif 000004
【図３】
2011090789.tif 000005
【図４】
2011090789.tif 000006